(57)【特許請求の範囲】
【請求項１】
法面上にその保護のために形成されるコンクリート製の法枠のための枠部材であって、
この枠部材を、前記法面上側に配置されることになる底部部材と、この底部部材に対して接することなく交差して位置し、前記法枠の上面外形と略同様に湾曲または折曲した頂部部材と、これらの頂部部材と底部部材との各両端を連続させて前記法面上側に配置されることになる連続部材とを有したものとして、閉曲線状のものに形成し、
前記底部部材または頂部部材の少なくともいずれか一方に、前記法枠を構成する鉄筋が係合される係合凹所を少なくとも１箇所形成したことを特徴とする枠部材。
【請求項２】
前記底部部材と連続部材との中央を、それぞれ上方に湾曲または折曲させることにより、前記底部部材と連続部材との連続部分が脚部となって前記法面上に当接するようにしたことを特徴とする請求項１に記載の枠部材。
【請求項３】
前記枠部材は、これを一本の線材を湾曲または折曲することにより形成したことを特徴とする請求項１または請求項２に記載の枠部材。
【発明の詳細な説明】
【０００１】
【発明の属する技術分野】
本発明は、法面上に形成されるコンクリート製の法枠を構成するための枠部材に関するものであり、特に、法枠の構造材の一つである鉄筋等に支持されて、これらの鉄筋等とともにモルタルやコンクリート等が吹付・添着されることにより強固な法枠等とするのに適した枠部材に関するものである。
【０００２】
【従来の技術】
例えば道路脇や造成地にできる法面は、その地盤や岩盤を剥き出しのままにしておくと、崩落等の現象が生じることになるから、これを何等かの手段によって防がなくてはならない。法面の保護は、モルタルやコンクリートを吹付けたり、植生によって行われているのであるが、いずれの場合も法面上に所謂法枠を構成して行われることが一般である。
【０００３】
法枠は、法面上の保護を行うための所謂「基礎」となるものであり、例えば図４または図５に示すように、互いに連続した格子状のものとして形成することにより、法面上での固定が確実になるようになされている。そして、この格子状の法枠間にモルタルやコンクリート、または客土を吹き付けることにより、法面の保護がなされるのである。
【０００４】
以上のような法枠は、一般的には法面上に鉄筋を含む型枠を組んでおき、この型枠にモルタルやコンクリート等を吹き付けて形成される。ところが、法面は、傾斜面でもあり、場合によっては大型機械の入りにくい山間地にあることもあって、その上に、上記のような型枠を組むことは非常に人手の掛る作業となっている。
【０００５】
このため、例えば、特開平８−２０９５７号公報、または特開平８−２９６２３３号公報にては、「法枠用コイルおよび法枠用コイルを使用する格子枠体の施工方法」、または「法枠施工方法および法枠形成用コイル筋」が提案されてきている。これらの公報中に記載されている技術において使用される「コイル」は、図７または図８に示すように、吹き付け材の保持部分をある程度確保できているだけでなく、特に連続的なものであるから、その施工もし易いものとなっていると考えられる。
【０００６】
ところが、これら特開平８−２０９５７号公報及び特開平８−２９６２３３号公報にて提案されている「コイル」は、文字通りコイル状に連続したものであって非常に柔軟な可撓性を有したものとなっているから、各部を鉄筋等に固定しないと、吹き付け材をコイルを覆うように吹き付ける際の圧力には十分耐えきれないものと考えられるものである。そうすると、この「コイル」は、各部を鉄筋等に固定するという作業が大変なものとなり、施工性が悪くなっているとも考えられるのである。
【０００７】
また、上記特開平８−２０９５７号公報及び特開平８−２９６２３３号公報にて提案されている「コイル」は、図７または図８に示したように、その法面に接触する部分が直線状であるため、法面に凹凸がある場合（凹凸があるのが常態である）には、当該コイルが十分法面に接地せず、完成された法枠と法面との間に空間が生ずる、所謂「不陸（浮き上がり）」が発生し易いものであるとも考えられる。
【０００８】
それだけでなく、上記特開平８−２０９５７号公報及び特開平８−２９６２３３号公報にて提案されている「コイル」は、これを梱包したり運搬したりする場合に以外とかさばるものとなっており、保管や運搬がしにくいものとなっていると考えられる。しかも、「コイル」という連続状のものであれば、粗密の状態は施工できるが適当に分散させるということはできず、施工位置が自由に決められないものであって施工上、非常に不都合なものとなっていると考えられる。
【０００９】
そこで、本発明者は、上記のような法枠のための構造材について、構造が簡単で吹き付け作業時の圧力に十分耐えることができ、しかもその施工性をもっと向上させて低コスト化をも図るにはどうしたらよいか、について鋭意研究を重ねてきた結果、本発明を完成したのである。
【００１０】
【発明が解決しようとする課題】
本発明は、以上の実状に鑑みてなされたもので、その解決しようとする課題は法枠等の構造材を、施工性に優れしかも安価なものとすることである。
【００１１】
すなわち、まず請求項１に係る発明の目的とするところは、法枠の形状に合わせた外形を有して、法枠等の一部となる鉄筋との係合を簡単に行うことができ、かつそれ単独で法面上に対する設置を安定的に行うことができ、しかも施工性にも優れた安価なものとすることのできる法枠のための枠部材を提供することにある。
【００１２】
また、請求項２に係る発明の目的とするところは、上記請求項１の発明の目的を達成することができる他、法枠の法面に対する不陸を防止することのできる法枠のための枠部材を提供することにある。
【００１３】
さらに、請求項３に係る発明の目的とするところは、上記請求項１または請求項２の発明の目的を達成することができる他、より一層加工性に優れかつコストの低減をも図ることのできる法枠のための枠部材を提供することにある。
【００１４】
【課題を解決するための手段】
以上の課題を解決するために、まず請求項１に係る発明の採った手段は、後述する実施の形態の説明中において使用する符号を付して説明すると、
「法面２００上にその保護のために形成されるコンクリート製の法枠１００のための枠部材１０であって、
この枠部材１０を、法面２００上側に配置されることになる底部部材１１と、この底部部材１１に対して接することなく交差して位置し、法枠１００の上面外形と略同様に湾曲または折曲した頂部部材１２と、これらの頂部部材１２と底部部材１１との各両端を連続させて法面２００上側に配置されることになる連続部材１３とを有したものとして、閉曲線状のものに形成し、
底部部材１１または頂部部材１２の少なくともいずれか一方に、法枠１００を構成する鉄筋２２が係合される係合凹所１４を少なくとも１箇所形成したことを特徴とする枠部材１０」
である。
【００１５】
すなわち、この請求項１の枠部材１０は、図４及び図５に示すように、格子状に配筋された鉄筋２２の、各アンカー２３によって固定された交点間に配置されるものであり、その配置が、図１及び図２に示すようになされるものである。つまり、この枠部材１０は、特に図１に示すように、まずその底部部材１１が法面２００上に各鉄筋２２と斜めに交差した状態に配置され、当該底部部材１１の両端部において、２本の連続部材１３が各鉄筋２２と平行に配置される。そして、各連続部材１３の他の端部には頂部部材１２の端部が連続することになり、この頂部部材１２は、図２に示すように、これを法枠１００の上面外形と略同様に湾曲または折曲したものであるから、底部部材１１に対して接することなく交差して位置することになるのである。
【００１６】
また、この枠部材１０は、図１及び図２に示すように、底部部材１１または頂部部材１２の少なくともいずれか一方に、法枠１００を構成する鉄筋２２が係合される係合凹所１４を少なくとも１箇所形成したものであるから、各係合凹所１４に各鉄筋２２を係合させるのみで、各鉄筋２２に対する当該枠部材１０の固定を行えるものとなっているのである。この係合凹所１４は、後述の実施形態において例示するように、線材を折曲または湾曲させて形成したものであるから、これに対する各鉄筋２２の係合は枠部材１０の外側から簡単に行えるものとなっている。なお、法面２００上に設置した各枠部材１０について、その中心部にアンカーピンを立てることにより、その法面２００に対する固定をより強固に行うようにしてもよい。
【００１７】
以上の通りであるから、この請求項１に係る枠部材１０を法面２００上に設置した場合には、鉄筋２２に対して斜めに傾斜する底部部材１１と、この底部部材１１の両端にて連続する２本の連続部材１３とが法面２００上に配置されることになり、当該枠部材１０は、全体として法面２００上に略密着したものとなる。しかも、この枠部材１０は、その頂部部材１２が、完成されるべき法枠１００の外形に沿って法面２００上に突出することになるから、上記底部部材１１及び連続部材１３とともに略籠状のものとなり、吹き付け材３０の添着・保持を良好に行うことのできる部分を形成することになるのである。
【００１８】
従って、この枠部材１０等に向けて生コンクリートやモルタル等の吹き付け材３０を吹き付ける吹き付け作業を行った場合、当該枠部材１０は法面２００上に非常に安定した状態で配置されているから、その吹き付け圧力によって移動したり、各鉄筋２２から外れたりしないのであり、施工性が非常に良くなっているのである。また、当該枠部材１０は、全体として法面２００上に略密着したものとなっているのであるから、完成された法枠１００と法面２００との間には、「不陸」部分を形成しないのである。
【００１９】
そして、この請求項１の枠部材１０は、上述したような構成・形状のものであるから、図６に示すように、その多数を重ねることにより、かさばらずにデッドスペースの非常に少ない一体物としてまとめることができるものとなっているのである。従って、当該枠部材１０を製造した後の梱包や保管は勿論、施工現場への運搬に際しても、非常に効率の良いものとなっているのであり、この点からしても、当該枠部材１０の施工性は優れたものとなっているのである。
【００２０】
特に、この枠部材１０は、図７または図８に示した従来の「コイル」状のものとは異なってそれぞれ独立したものであるから、その設置位置を自由に選定できるものとなっており、例えば大きな凹凸がある法面２００上を避けて配置できるのであり、その施工性が非常に良くなっているものである。つまり、通常は、この枠部材１０は、法枠１００の交点間に２個程度配置するのであるが、これを１個にしたり３個にしたりすることが自由に行えるのである。
【００２１】
また、上記課題を解決するために、請求項２に係る発明の採った手段は、上記請求項１に係る枠部材１０について、
「底部部材１１と連続部材１３との中央を、それぞれ上方に湾曲または折曲させることにより、底部部材１１と連続部材１３との連続部分が脚部１５となって法面２００上に当接するようにしたこと」
である。
【００２２】
すなわち、この請求項２の枠部材１０は、底部部材１１と連続部材１３との連続部分を積極的に脚部１５としたものであり、そのために、底部部材１１と連続部材１３との中央を、それぞれ上方に湾曲または折曲させたものである。換言すれば、この枠部材１０は、図４及び図５に示すように、整地された法面２００上にラス網２１を張設した場合に、このラス網２１の上に設置するようにしたものである。この場合には、図１及び図３中に明示した第１脚部１５ａ、第２脚部１５ｂ、第３脚部１５ｃ及び第４脚部１５ｄが、図２に示すように、ラス網２１の網目から法面２００上に突出することになり、仮に法面２００上に凹凸があってラス網２１自体が法面２００上に浮き上がった場合であっても、当該枠部材１０は法面２００上に密着状態で配置されることになるのである。
【００２３】
従って、この請求項２の枠部材１０は、上記請求項１のそれと同様な作用を発揮することができることは当然として、ラス網２１が存在していても、法面２００上面に対する浮き上がりが防止され、法枠１００の法面２００に対する不陸を確実に防止することができるのである。逆に、ラス網２１が法面２００上に密着している場合には、当該ラス網２１に吹き付け材３０を添着することが困難となるが、この請求項２の枠部材１０は、各第１脚部１５ａ、第２脚部１５ｂ、第３脚部１５ｃ及び第４脚部１５ｄを、ラス網２１の網目内に入れることができるから、図２に示したように、当該ラス網２１を法面２００上の所定位置にまで引き上げることを可能としているのである。
【００２４】
そして、上記課題を解決するために、請求項３に係る発明の採った手段は、上記請求項１または請求項２に係る枠部材１０について、
「枠部材１０は、これを一本の線材を湾曲または折曲することにより形成したこと」
である。
【００２５】
すなわち、この請求項３の枠部材１０は、特に鉄を材料とした一本の線材を折曲または湾曲させることにより、その全体を一体的に形成したものであり、これにより、その製造を非常に安価にかつ簡単に行えるものとなっているのである。なお、折曲または湾曲した端部が、枠部材１０のどこに位置することになるかは問題ではないが、溶接するにせよ、結束線で結束するにせよ、線材の各端部を連結しておかなければならないことはいうまでもない。
【００２６】
【発明の実施の形態】
次に、上記各請求項に係る発明を、図面に示した実施の形態である枠部材１０について説明するが、この実施形態の枠部材１０は、上記各請求項の発明を実質的に含むものであるから、以下ではこの実施形態の枠部材１０を中心にした説明を行うこととする。
【００２７】
図１には、本発明に係る枠部材１０の一つを、上下２本の鉄筋２２を中心に設置した状態の斜視図が示してあり、この枠部材１０は、図１〜図３に示したように、法面２００上側に配置されることになる底部部材１１と、この底部部材１１に対して接することなく交差して位置し、法枠１００の上面外形と略同様に湾曲または折曲した頂部部材１２と、これらの頂部部材１２と底部部材１１との各両端を連続させて法面２００上側に配置されることになる連続部材１３とを有したものとして形成してあり、この枠部材１０は、例えば鉄線からなる一本の線材を折曲または湾曲させることにより、閉曲線状のものに形成したものである。
【００２８】
勿論、この枠部材１０は、一本の線材の両端部を、溶接または結束線による結束によって一体的なものとなるように形成したものである。なお、上記の底部部材１１、頂部部材１２、及びこれらの端部同士を連続させる２本の連続部材１３を、それぞれ線材によって形成しておいて、これらの端部を溶接または結束線による結束によって一体的なものに形成して実施してもよく、必ずしも連続した一本の線材から構成しなければならないものではない。
【００２９】
また、この枠部材１０は、図２に示したように、法枠１００を構成するための鉄筋２２に対して取り付けられるものでもあるから、底部部材１１または頂部部材１２の少なくともいずれか一方に、法枠１００を構成する鉄筋２２が係合される係合凹所１４を少なくとも１箇所形成したものである。この係合凹所１４は、法枠１００を構成する鉄筋２２の数及び位置に応じて、予め位置決めされ形成されるものであり、その数及び位置は任意である。
【００３０】
本実施形態に係る枠部材１０では、図１に示したように、底部部材１１と連続部材１３との連続部分を積極的に脚部１５としたものであり、そのために、底部部材１１と連続部材１３との中央を、それぞれ上方に湾曲または折曲させたものである。換言すれば、この枠部材１０は、図４及び図５に示すように、整地された法面２００上にラス網２１を張設した場合に、このラス網２１の上に設置するようにしたものである。従って、この枠部材１０では、図１及び図３中に明示した第１脚部１５ａ、第２脚部１５ｂ、第３脚部１５ｃ及び第４脚部１５ｄが、図２に示すように、ラス網２１の網目から法面２００上に突出することになり、仮に法面２００上に凹凸があってラス網２１自体が法面２００上に浮き上がった場合であっても法面２００上に密着状態で配置されることになるのである。
【００３１】
また、実施形態の枠部材１０では、図２に示したように、その頂部部材１２を図示上方に半円形状のものに湾曲させているが、その理由は、完成された法枠１００の断面形状が上方に凸の半円形状のものとなることを想定しているからである。従って、この法枠１００の断面形状が台形であれば、頂部部材１２も台形のものに折曲すればよく、法枠１００の断面形状が四角形であれば、頂部部材１２も四角形のものに折曲すればよいことになる。いずれにしても、当該枠部材１０の頂部部材１２は、法枠１００の上面外形と略同様に湾曲または折曲したものである必要がある。
【００３２】
なお、以上のように構成した枠部材１０については、その表面全体に耐食性に優れた亜鉛フレークとクロム化合物とを主成分とする不動体被膜を形成して実施するとより好適なものとなる。何故なら、この不動体被膜により、枠部材１０の表面全体が耐食性に優れた被膜により被覆され、錆を生じたり耐久強度が低下することがないものとなるからである。
【００３３】
【発明の効果】
以上詳述した通り、まず請求項１に係る発明においては、上記実施の形態で例示した如く、
「枠部材１０を、法面２００上側に配置されることになる底部部材１１と、この底部部材１１に対して接することなく交差して位置し、法枠１００の上面外形と略同様に湾曲または折曲した頂部部材１２と、これらの頂部部材１２と底部部材１１との各両端を連続させて法面２００上側に配置されることになる連続部材１３とを有したものとして、閉曲線状のものに形成し、
底部部材１１または頂部部材１２の少なくともいずれか一方に、法枠１００を構成する鉄筋２２が係合される係合凹所１４を少なくとも１箇所形成したこと」
にその構成上の特徴があり、これにより、法枠の形状に合わせた外形を有して、法枠等の一部となる鉄筋との係合を簡単に行うことができ、かつそれ単独で法面上に対する設置を安定的に行うことができ、しかも施工性にも優れた安価なものとすることのできる法枠のための枠部材１０を提供することができるのである。
【００３４】
また、請求項２に係る発明によれば、上記請求項１に係る枠部材１０について
「底部部材１１と連続部材１３との中央を、それぞれ上方に湾曲または折曲させることにより、底部部材１１と連続部材１３との連続部分が脚部１５となって法面２００上に当接するようにしたこと」
にその構成上の特徴があり、これにより、上記請求項１の発明の目的を達成することができる他、法枠の法面に対する不陸を防止することのできる法枠のための枠部材１０を提供することができるのである。
【００３５】
さらに、請求項３に係る発明によれば、上記請求項１または請求項２に係る枠部材１０について、
「一本の線材を湾曲または折曲することにより形成したこと」
にその構成上の特徴があり、これにより、上記請求項１または請求項２の発明の目的を達成することができる他、より一層加工性に優れかつコストの低減をも図ることのできる法枠のための枠部材１０を提供することができるのである。
【図面の簡単な説明】
【図１】  本発明に係る枠部材の斜視図である。
【図２】  同枠部材の拡大正面図である。
【図３】  同枠部材の平面図である。
【図４】  同枠部材を使用して法枠を形成している状態を示す斜視図である。
【図５】  同枠部材を構成材料とした法枠の部分平面図である。
【図６】  同枠部材を複数重ねた状態の斜視図である。
【図７】  従来の技術を示す斜視図である。
【図８】  従来の他の技術を示す斜視図である。
【符号の説明】
１０  枠部材
１１  底部部材
１２  頂部部材
１３  連続部材
１４  係合凹所
１５  脚部
２１  ラス網
２２  鉄筋
２３  アンカー
３０  吹き付け材
１００  法枠
２００  法面
【図１】
0003689800.tif 000002
【図２】
0003689800.tif 000003
【図３】
0003689800.tif 000004
【図４】
0003689800.tif 000005
【図５】
0003689800.tif 000006
【図６】
0003689800.tif 000007
【図７】
0003689800.tif 000008
【図８】
0003689800.tif 000009